(57)【特許請求の範囲】
【請求項１】
第１表示面と、
第２表示面と、
前記第２表示面に対する入力を受け付ける入力受付部と、
前記第１表示面と前記第２表示面に画像を表示する制御部と、を備え、
前記制御部は、
前記第１表示面に第１画像を表示するとともに、前記第２表示面に前記第１画像の少なくとも一部を含む第２画像を表示し、さらに、前記第１画像上に第１領域を設定して当該第１領域の境界を示す表示を行うとともに前記第２画像上に前記第１領域に対応する第２領域を設定して当該第２領域の境界を示す表示を行い、
前記入力受付部が受け付けた入力に応じて前記第２画像を拡大または縮小することなく前記第２領域の大きさを変更するときには、前記第２領域の大きさの変更に応じて前記第１領域の大きさを変更し、
前記入力受付部が受け付けた入力に応じて前記第２画像を拡大または縮小するとともに前記第２画像が拡大または縮小された後も前記第２領域の全ての境界が前記表示面に表示されるように前記第２画像の拡大または縮小に応じて前記第２領域の大きさを変更し、前記第２画像の拡大または縮小に応じて前記第２領域の大きさを変更するときには、前記第１領域の大きさを変更しない、
ことを特徴とする携帯端末装置。
【請求項２】
請求項１に記載の携帯端末装置において、
前記制御部は、前記入力受付部が前記第２領域の位置を移動させる入力を受け付けると、前記第２領域と前記第１領域の位置を移動させる、
ことを特徴とする携帯端末装置。
【請求項３】
請求項１または２に記載の携帯端末装置において、
前記制御部は、前記第１領域の境界を示す第１枠を前記第１画像に重ねて表示するとともに、前記第２領域の境界を示す第２枠を前記第２画像に重ねて表示する、
ことを特徴とする携帯端末装置。
【請求項４】
請求項１ないし３の何れか一項に記載の携帯端末装置において、
前記制御部は、前記入力受付部が前記第２領域の形状を変更する入力を受け付けると、受け付けた前記入力に応じて、前記第１領域と前記第２領域を変形する、
ことを特徴とする携帯端末装置。
【請求項５】
請求項１ないし４の何れか一項に記載の携帯端末装置において、
前記制御部は、前記入力受付部が所定の画像効果を施すための入力を受け付けると、受け付けた前記入力に応じて、少なくとも前記第２領域の画像に、前記画像効果を適用する、
ことを特徴とする携帯端末装置。
【請求項６】
請求項１ないし５の何れか一項に記載の携帯端末装置において、
前記第２領域の画像を前記携帯端末装置の種々の機能に対応付けて登録するための画像登録部をさらに備え、
前記制御部は、前記登録において選択された前記機能に応じて、前記第２領域の形状と大きさを設定する、
ことを特徴とする携帯端末装置。
【請求項７】
請求項１ないし６の何れか一項に記載の携帯端末装置において、
前記第１表示面に対する入力を受け付ける他の入力受付部をさらに備え、
前記制御部は、前記他の入力受付部が、前記第１領域の移動のための入力を受け付けた場合、当該入力に応じて、前記第１画像上において前記第１領域を移動させるとともに、前記第１領域の移動に基づいて前記第２画像上において前記第２領域を移動させる、
ことを特徴とする携帯端末装置。
【請求項８】
請求項１ないし７の何れか一項に記載の携帯端末装置において、
前記制御部は、前記入力受付部への入力により前記第２画像上の領域が指定された場合に、当該入力に基づいて、前記第１領域および前記第２領域を、それぞれ、前記第１画像上および前記第２画像上に設定する、
ことを特徴とする携帯端末装置。
【請求項９】
第１表示面と、第２表示面と、前記第２表示面に対する入力を受け付ける入力受付部と、を備える携帯端末装置のコンピュータに、
前記第１表示面に第１画像を表示するとともに、前記第２表示面に前記第１画像の少なくとも一部を含む第２画像を表示し、さらに、前記第１画像上に第１領域を設定して当該第１領域の境界を示す表示を行うとともに前記第２画像上に前記第１領域に対応する第２領域を設定して当該第２領域の境界を示す表示を行う機能と、
前記入力受付部が受け付けた入力に応じて前記第２画像を拡大または縮小することなく前記第２領域の大きさを変更するときには、前記第２領域の大きさの変更に応じて前記第１領域の大きさを変更する機能と、
前記入力受付部が受け付けた入力に応じて前記第２画像を拡大または縮小するとともに前記第２画像が拡大または縮小された後も前記第２領域の全ての境界が前記表示面に表示されるように前記第２画像の拡大または縮小に応じて前記第２領域の大きさを変更し、前記第２画像の拡大または縮小に応じて前記第２領域の大きさを変更するときには、前記第１領域の大きさを変更しない機能と、
を実行させるプログラム。
【請求項１０】
第１表示面と、第２表示面と、前記第２表示面に対する入力を受け付ける入力受付部と、前記第１表示面と前記第２表示面に画像を表示する制御部と、を備える携帯端末装置の表示制御方法において、
前記第１表示面に第１画像を表示するとともに、前記第２表示面に前記第１画像の少なくとも一部を含む第２画像を表示し、さらに、前記第１画像上に第１領域を設定して当該第１領域の境界を示す表示を行うとともに前記第２画像上に前記第１領域に対応する第２領域を設定して当該第２領域の境界を示す表示を行うステップと、
前記入力受付部が受け付けた入力に応じて前記第２画像を拡大または縮小することなく前記第２領域の大きさを変更するときには、前記第２領域の大きさの変更に応じて前記第１領域の大きさを変更するステップと、
前記入力受付部が受け付けた入力に応じて前記第２画像を拡大または縮小するとともに前記第２画像が拡大または縮小された後も前記第２領域の全ての境界が前記表示面に表示されるように前記第２画像の拡大または縮小に応じて前記第２領域の大きさを変更し、前記第２画像の拡大または縮小に応じて前記第２領域の大きさを変更するときには、前記第１領域の大きさを変更しないステップと、
を含むことを特徴とする表示制御方法。
【発明の詳細な説明】
【技術分野】
【０００１】
本発明は、携帯電話機やＰＤＡ（Personal Digital Assistant）、タブレットＰＣ（TabletPC）、電子書籍端末、携帯ゲーム機等の携帯端末装置に関するものである。
【背景技術】
【０００２】
従来、携帯端末装置には、各種情報を表示するための表示面が配備されている。かかる表示面には、動画の他、写真やウェブページ、テキスト画像等の静止画が表示される。かかる携帯端末装置では、表示面に表示された画像に対して所定の編集を行うための機能が付加され得る（たとえば特許文献１参照）。このような機能を用いて、写真等の画像に対して所定の編集が行える。
【先行技術文献】
【特許文献】
【０００３】
【特許文献１】特開２００４−０２１４４０号公報
【発明の概要】
【発明が解決しようとする課題】
【０００４】
上記携帯端末装置では、編集の際に、たとえば、表示された画像を拡大する操作が行われ得る。画像が拡大されると、細部を把握し易くなる。しかし、その一方で、画像が拡大されると、表示面に画像の全体が表示されない。このため、ユーザは、編集作業の対象部分が、画像全体のどの部分であるかを確認することができない。この場合、ユーザは、画像を縮小する操作を行わねばならず、このために、編集作業を一旦中断する必要がある。
【０００５】
本発明は、かかる課題に鑑みてなされたものであり、画像全体のうちどの部分が編集作業の対象となっているかを、編集作業中であってもユーザが容易に認識できる携帯端末装置を提供することを目的とする。
【課題を解決するための手段】
【０００６】
本発明の第１の態様に係る携帯端末装置は、第１表示面と、第２表示面と、前記第２表示面に対する入力を受け付ける入力受付部と、前記第１表示面と前記第２表示面に画像を表示する制御部と、を備える。ここで、前記制御部は、前記第１表示面に第１画像を表示するとともに、前記第２表示面に前記第１画像の少なくとも一部を含む第２画像を表示し、さらに、前記第１画像上に第１領域を設定して当該第１領域の境界を示す表示を行うとともに前記第２画像上に前記第１領域に対応する第２領域を設定して当該第２領域の境界を示す表示を行う。そして、前記制御部は、前記入力受付部が受け付けた入力に応じて前記第２画像を拡大または縮小することなく前記第２領域の大きさを変更するときには、前記第２領域の大きさの変更に応じて前記第１領域の大きさを変更する。さらに、前記制御部は、前記入力受付部が受け付けた入力に応じて前記第２画像を拡大または縮小するとともに前記第２画像が拡大または縮小された後も前記第２領域の全ての境界が前記表示面に表示されるように前記第２画像の拡大または縮小に応じて前記第２領域の大きさを変更し、前記第２画像の拡大または縮小に応じて前記第２領域の大きさを変更するときには、前記第１領域の大きさを変更しない。
【０００７】
本発明に係る携帯端末装置において、前記制御部は、前記入力受付部が前記第２領域の位置を移動させる入力を受け付けると、前記第２領域と前記第１領域の位置を移動させ得る。
【０００８】
本発明に係る携帯端末装置において、前記制御部は、前記第１領域の境界を示す第１枠を前記第１画像に重ねて表示するとともに、前記第２領域の境界を示す第２枠を前記第２画像に重ねて表示し得る。
【０００９】
本発明に係る携帯端末装置において、前記制御部は、前記入力受付部が前記第２領域の形状を変更する入力を受け付けると、受け付けた前記入力に応じて、前記第１領域と前記第２領域を変形し得る。
【００１０】
本発明に係る携帯端末装置において、前記制御部は、前記入力受付部が所定の画像効果を施すための入力を受け付けると、受け付けた前記入力に応じて、少なくとも前記第２領域の画像に、前記画像効果を適用し得る。
【００１１】
本発明に係る携帯端末装置において、前記第２領域の画像を前記携帯端末装置の種々の機能に対応付けて登録するための画像登録部をさらに備え得る。この場合、前記制御部は、前記登録において選択された前記機能に応じて、前記第２領域の形状と大きさを設定する。
【００１２】
本発明に係る携帯端末装置において、前記第１表示面に対する入力を受け付ける他の入力受付部をさらに備え得る。この場合、前記制御部は、前記他の入力受付部が、前記第１領域の移動のための入力を受け付けた場合、当該入力に応じて、前記第１画像上において前記第１領域を移動させるとともに、前記第１領域の移動に基づいて前記第２画像上において前記第２領域を移動させる。
【００１３】
本発明に係る携帯端末装置において、前記制御部は、前記入力受付部への入力により前記第２画像上の領域が指定された場合に、当該入力に基づいて、前記第１領域および前記第２領域を、それぞれ、前記第１画像上および前記第２画像上に設定し得る。
【００１４】
本発明の第２の態様に係るプログラムは、第１表示面と、第２表示面と、前記第２表示面に対する入力を受け付ける入力受付部と、を備える携帯端末装置のコンピュータに、前記第１表示面に第１画像を表示するとともに、前記第２表示面に前記第１画像の少なくとも一部を含む第２画像を表示し、さらに、前記第１画像上に第１領域を設定して当該第１領域の境界を示す表示を行うとともに前記第２画像上に前記第１領域に対応する第２領域を設定して当該第２領域の境界を示す表示を行う機能と、前記入力受付部が受け付けた入力に応じて前記第２画像を拡大または縮小することなく前記第２領域の大きさを変更するときには、前記第２領域の大きさの変更に応じて前記第１領域の大きさを変更する機能と、前記入力受付部が受け付けた入力に応じて前記第２画像を拡大または縮小するとともに前記第２画像が拡大または縮小された後も前記第２領域の全ての境界が前記表示面に表示されるように前記第２画像の拡大または縮小に応じて前記第２領域の大きさを変更し、前記第２画像の拡大または縮小に応じて前記第２領域の大きさを変更するときには、前記第１領域の大きさを変更しない機能と、を実行させる。
【００１５】
本発明の第３の態様は、第１表示面と、第２表示面と、前記第２表示面に対する入力を受け付ける入力受付部と、前記第１表示面と前記第２表示面に画像を表示する制御部と、を備える携帯端末装置の表示制御方法に関する。本態様に係る表示制御方法は、前記第１表示面に第１画像を表示するとともに、前記第２表示面に前記第１画像の少なくとも一部を含む第２画像を表示し、さらに、前記第１画像上に第１領域を設定して当該第１領域の境界を示す表示を行うとともに前記第２画像上に前記第１領域に対応する第２領域を設定して当該第２領域の境界を示す表示を行うステップと、前記入力受付部が受け付けた入力に応じて前記第２画像を拡大または縮小することなく前記第２領域の大きさを変更するときには、前記第２領域の大きさの変更に応じて前記第１領域の大きさを変更するステップと、前記入力受付部が受け付けた入力に応じて前記第２画像を拡大または縮小するとともに前記第２画像が拡大または縮小された後も前記第２領域の全ての境界が前記表示面に表示されるように前記第２画像の拡大または縮小に応じて前記第２領域の大きさを変更し、前記第２画像の拡大または縮小に応じて前記第２領域の大きさを変更するときには、前記第１領域の大きさを変更しないステップと、を含む。
【発明の効果】
【００１６】
本発明によれば、画像全体のうちどの部分が編集作業の対象となっているかを、編集作業中であってもユーザが容易に認識できる携帯端末装置を提供することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係る閉状態と開状態の携帯電話機の構成を示す図である。
【図２】実施の形態に係るチルト状態の携帯電話機の外観構成を示す図である。
【図３】実施の形態に係る携帯電話機が閉状態から開状態へ変形される様子を説明する図である。
【図４】実施の形態に係る携帯電話機の全体構成を示すブロック図である。
【図５】実施例に係る画像編集処理を示すフローチャートである。
【図６】実施例に係るリスト画面と編集方法の選択画面を示す図である。
【図７】実施例に係る画像切取りのための処理を示すフローチャートである。
【図８】実施例に係る画像切取り処理の初期画面を示す図である。
【図９】実施例に係る画像切取り処理における枠の更新例を示す図である。
【図１０】実施例に係る画像切取り処理における枠の更新例を示す図である。
【図１１】実施例に係る画像切取り処理における画像の保存操作を示す図である。
【図１２】実施例に係る画像切取り処理における枠の更新例を示す図である。
【図１３】実施例に係る画像切取り処理における枠の更新例を示す図である。
【図１４】実施例に係る画像切取り処理における枠の更新例を示す図である。
【図１５】実施例に係る画像切取り処理における枠の変更操作を示す図である。
【図１６】実施例に係る画像の切取り処理における枠の変更例を示す図である。
【図１７】実施例に係る画像の切取り処理における枠の更新例を示す図である。
【図１８】実施例に係る画像の切取り処理における枠の更新例を示す図である。
【図１９】実施例に係る画像の加工のための処理を示すフローチャートである。
【図２０】実施例に係る画像の加工処理における枠の更新例を示す図である。
【図２１】実施例に係る画像の加工処理における画像効果の設定操作を示す図である。
【図２２】実施例に係る画像の加工処理における枠の変更例を示す図である。
【図２３】実施例に係る画面に対して画像を設定するための処理を示すフローチャートである。
【図２４】実施例に係る画像設定処理における枠の更新操作を示す図である。
【図２５】実施例に係る画像設定処理における枠の更新例を示す図である。
【図２６】実施例に係る画像設定処理における設定先の選択操作を示す図である。
【図２７】実施例に係る画像設定処理における画像の表示例と、メール着信時の画面表示例を示す図である。
【図２８】実施例に係る画像設定処理における設定先の変更操作を示す図である。
【図２９】変更例に係る領域を指定する入力に基づいて枠が表示される例を示す図である。
【図３０】変更例に係る枠の更新例を示す図である。
【図３１】変更例に係る枠の表示例を示す図である。
【図３２】変更例に係る領域の特定方法を示す図である。
【図３３】変更例に係る第１領域および第２領域の表示例を示す図である。
【図３４】変更例に係る第１領域の移動のための操作に基づく枠の更新例を示す図である。
【発明を実施するための形態】
【００１９】
以下、本発明の実施の形態に係る携帯電話機について説明する。
【００２０】
＜携帯電話機の構成＞
図１（ａ）、（ｂ）および図２（ａ）、（ｂ）は、実施の形態に係る携帯電話機１の構成を示す図である。図１（ａ）は、閉状態の携帯電話機１の構成を示す図である。図１（ｂ）は、開状態の携帯電話機１の構成を示す図である。図２（ａ）、（ｂ）は、チルト状態の携帯電話機１の構成を示す図である。
【００２１】
以下の説明において、「閉状態」は、図１（ａ）に示す如く、第１キャビネット１０が、第２キャビネット２０の前面に重ねられた状態である。「開状態」は、図１（ｂ）に示
す如く、第１キャビネット１０が、第２キャビネット２０の上側に並べられて配され、第１キャビネット１０の前面と第２キャビネット２０の前面が面一になった状態である。「チルト状態」は、図２（ａ）、（ｂ）に示す如く、第１キャビネット１０が、開状態から所定の角度だけ前方に傾いた状態である。
【００２２】
図１（ａ）、（ｂ）を参照して、携帯電話機１は、第１キャビネット１０と、第２キャビネット２０と、これら第１、第２キャビネット１０、２０を連結する連結部３０とで構成されている。
【００２３】
第１キャビネット１０は、左右方向に長い平坦な直方体形状を有する。第１キャビネット１０には、第１タッチパネル１１が配されている。第１タッチパネル１１は、第１ディスプレイ１２および第１タッチセンサ１３を含む。
【００２４】
第１ディスプレイ１２の表示領域を覆うように第１タッチセンサ１３が配置される。第１タッチセンサ１３は、透明なシート状の部材からなる。第１ディスプレイ１２に備えられるバックライト（図示せず）が点灯されることにより、第１タッチセンサ１３を介して、第１ディスプレイ１２の表示領域に表示された第１画面が閲覧可能となる。すなわち、第１タッチセンサ１３の前面が表示面（以下、「第１表示面１４」という）となる。
【００２５】
第１タッチセンサ１３は、第１表示面１４に対する接触を検出し、接触位置に応じた位置信号を出力する。なお、以下の説明において、「タッチ」とは、たとえば、指やペンなどの接触部材によって表示面（第１表示面１４、第２表示面２４）に触れることである。なお、後述の「タップ」、「ロングタップ」、「スライド」、「フリック」などの操作などを含め、ユーザが、表示面に触れる操作を、総称して「タッチ」と言う。
【００２６】
ユーザが接触部材によって表示面を押したり、撫でたり、表示面に図形や文字を描いたりする場合に「タッチ」が行われる。「タップ」とは、接触部材が表示面をたたくように、表示面のある位置において接触部材をタッチさせ、所定時間内にリリースさせることを言う。「ロングタップ」とは、ユーザが接触部材で表示面の同じ位置を所定時間（タップに比べて長い時間）以上接触し続ける動作を言う。「スライド」とは、ユーザが接触部材を表示面に接触したまま動かす動作を言う。「フリック」とは、ユーザが接触部材によって表示面を素早く弾くような操作であり、接触部材を、表示面に接触したまま所定時間内に所定距離以上動かす動作を言う。
【００２７】
第１キャビネット１０の表面の第１表示面１４の右側には、ホームキー、ランチャキー、バックキーの３つのタッチキー１５が配されている。タッチキー１５は、たとえば静電式タッチキーである。タッチキー１５は、接触部材のタッチキー１５への接触を検出し、検出信号を出力する。
【００２８】
マイク１７とスピーカ１８は、第１キャビネット１０に内蔵される。マイク１７は、集音した音声を、音声信号に変換して音声エンコーダ（後述）へ出力する。スピーカ１８は、音声デコーダ（後述）から入力される信号に基づき、音を出力する。
【００２９】
第２キャビネット２０は、左右方向に長い平坦な直方体形状を有する。第２キャビネット２０には、第２タッチパネル２１が配されている。第２タッチパネル２１は、第２ディスプレイ２２および第２タッチセンサ２３を含む。第１タッチパネル１１と同様、第２タッチセンサ２３の前面が表示面（以下、「第２表示面２４」という）となり、この第２表示面１４に第２画面が表示される。第２ディスプレイ２２および第２タッチセンサ２３の構成は、第１ディスプレイ１２および第１タッチセンサ１３と同様である。
【００３０】
第２キャビネット２０の表面の第２表示面２４の右側には、ホームキー、ランチャキー、バックキーの３つのタッチキー２５が配されている。タッチキー２５は、たとえば静電式タッチキーである。タッチキー２５は、接触部材のタッチキー２５への接触を検出し、検出信号を出力する。
【００３１】
第２キャビネット２０の下側面には、キー２６が配される。キー２６は、再生される音の音量のアップおよびダウンのためのキー等である。
【００３２】
閉状態において、第１表示面１４および第２表示面２４のうち、第１表示面１４のみが外部へ臨む。このとき、第２表示面２４は、第１キャビネット１０の背後に配され、外部を臨まない。開状態およびチルト状態において、第１表示面１４および第２表示面２４の両方が、外部へ臨む。
【００３３】
なお、開状態において、第１表示面１４の下側の境界と第２表示面２４の上側の境界との間の距離は小さい（数ミリメートル）。このため、ユーザは、開状態における第１表示面１４と第２表示面２４とを、一体化された一つの表示面として、認識できる。
【００３４】
図２（ａ）、（ｂ）を参照して、連結部３０は、中央フレーム部３１、第１右フレーム部３２、第１左フレーム部３３、第２右フレーム部３４および第２左フレーム部３５を有する。中央フレーム部３１は、左右に延びる形状を有する。中央フレーム部３１の右端は、第１右フレーム部３２の一端および第２右フレーム部３４の一端に接続する。中央フレーム部３１の左端は、第１左フレーム部３３の一端および第２左フレーム部３５の一端に接続する。
【００３５】
第１右フレーム部３２および第１左フレーム部３３は、それぞれ左右方向に延びる軸（図示せず）を有する。この軸が、図示の溝部１６により挟まれる。これら軸が、溝部１６に沿って移動可能に第１キャビネット１０に保持されることにより、第１キャビネット１０が、左右方向に平行な軸の周りに回転可能で、且つ、上下方向にスライド可能に、第１右フレーム部３２および第１左フレーム部３３により保持される。
【００３６】
第２右フレーム部３４および第２左フレーム部３５は、第２キャビネット２０を、左右方向を軸として回転可能に保持する。このように、第１および第２タッチパネル１１、２１は、第１および第２キャビネット１０、２０を介して連結部３０により、開状態および閉状態との間で切換可能に支持される。
【００３７】
図３（ａ）〜（ｆ）は、携帯電話機１が、開状態（図３（ａ））から閉状態（図３（ｆ））へ、遷移される過程を、携帯電話機１の右側から見て説明する図である。ユーザは、閉状態からチルト状態（図３（ｄ））を経て開状態へ、および開状態からチルト状態を経て閉状態へ、携帯電話機１を変形させることができる。
【００３８】
携帯電話機１が閉状態にあるとき（図３（ａ））、第１キャビネット１０を前方向（破線矢印の方向）へ移動させると、第１キャビネット１０の後面が、第２キャビネット２０から離れる（図３（ｂ））。第１キャビネット１０をさらに前方向へ移動させながら下方向（破線矢印方向）に回転させると、第１キャビネット１０および連結部３０が図３（ｃ）のように配置される。
【００３９】
図３（ｃ）の状態において、第１キャビネット１０の下側の後面が連結部３０に接するまで、第１キャビネット１０をさらに破線矢印方向に回転させ、連結部３０をさらに時計回りの方向（実線矢印方向）に回転させると、携帯電話機１は、図３（ｄ）のチルト状態に至る。
【００４０】
チルト状態において、第１キャビネット１０の後面の下側が連結部３０に当接した状態に保たれたまま、連結部３０を時計回りの方向へ回転（破線矢印参照）させると、携帯電話機１は、図３（ｅ）に示される状態になる。すなわち、第１表示面１４と第２表示面２４とが略一面となる。
【００４１】
図３（ｅ）に示される状態のとき、第１キャビネット１０および第２キャビネット２０との間には、間隙（数ミリメートル）が存在する。第１キャビネット１０を、第２キャビネット２０に対して下側（一点鎖線矢印参照）へスライドさせると、図３（ｆ）のように、携帯電話機１は開状態へと至る。このとき、第１キャビネット１０の下面と、第２キャビネット２０の上面とが、互いに接した状態となる。
【００４２】
なお、連結部３０は、チルト状態、すなわち第１右フレーム部３２および第１左フレーム部３３と第２キャビネット２０とが所定の鈍角（たとえば百数十度）をなす状態にあるとき、連結部３０の回転を弱く係止するための構造を有する。このように回転が弱く係止されるため、ユーザは、携帯電話機１をチルト状態が保ったまま、利用することができ、且つ、容易にチルト状態を開状態または閉状態へと変化させることができる。
【００４３】
図４は、携帯電話機１の全体構成を示すブロック図である。本実施の形態の携帯電話機１は、上述した各構成要素の他、ＣＰＵ１００、メモリ２００、カメラモジュール３０１、音声エンコーダ３０２、キー入力回路３０３、通信モジュール３０４、映像デコーダ３０５、音声デコーダ３０６、開閉センサ３０７および加速度センサ３０８を備えている。
【００４４】
カメラモジュール３０１は、第２キャビネット２０に内蔵され、第２キャビネット２０の背面から外部を臨むレンズ窓（図示せず）を有する。カメラモジュール３０１は、撮像により生成した撮像信号をＣＰＵ１００へ出力する。
【００４５】
音声エンコーダ３０２は、マイク１７からのアナログの音声信号をデジタルの音声信号に変換し、変換されたデジタルの音声信号をＣＰＵ１００へ出力する。
【００４６】
キー入力回路３０３は、タッチキー１５、２５およびキー２６の各キーが押下されたときに、押下されたキーに応じた信号をＣＰＵ１００へ出力する。
【００４７】
通信モジュール３０４は、通話や通信のための電波を送受信するアンテナ（図示せず）を備える。通信モジュール３０４は、ＣＰＵ１００から入力される信号を無線信号に変換し、アンテナを介して基地局へ送信する。また、通信モジュール３０４は、アンテナを介して受信した無線信号をＣＰＵ１００が利用できる形式の信号へ変換し、変換された信号をＣＰＵ１００へ出力する。
【００４８】
映像デコーダ３０５は、ＣＰＵ１００からの画像信号をデコードし、デコードした信号を第１ディスプレイ１２および第２ディスプレイ２２へ出力する。第１ディスプレイ１２および第２ディスプレイ２２は、映像デコーダ３０５からの信号から駆動信号を生成し、生成した駆動信号を、第１ディスプレイ１２および第２ディスプレイ２２が備える液晶パネル（図示せず）へ、それぞれ出力する。各液晶パネルは、入力した駆動信号に応じて、第１画面および第２画面を描画する。バックライトが点灯し、液晶パネルに描画された画面が表示されることにより、ユーザは、第１表示面１４および第２表示面２４を介して、表示された第１画面および第２画面を見ることができる。
【００４９】
音声デコーダ３０６は、ＣＰＵ１００からの音信号にデコード処理およびＤ／Ａ変換を施し、変換された信号をスピーカ１８に出力する。
【００５０】
開閉センサ３０７は、連結部３０の第２キャビネット２０に対する角度を検出する。開閉センサ３０７は、第２キャビネット２０と連結部３０がなす角度を検出する角度センサを備え、検出された角度に応じたデジタル信号を、ＣＰＵ１００へ出力する。ＣＰＵ１００は、開閉センサ３０７からの信号に基づき、第１キャビネット１０および第２キャビネット２０の配置状態（以下、「画面状態」と言う。）が、開状態、閉状態およびチルト状態の何れであるかを検出する。
【００５１】
なお、画面状態は、角度センサ以外の手段によって、検出されてもよい。たとえば、磁気センサが、画面状態の検出のために利用され得る。この場合、たとえば、第２キャビネット２０に磁気センサが配され、第１キャビネット１０または連結部３０に磁石が配される。開閉センサ３０７は、磁気センサが画面状態によって異なる磁力を検知することに基づき、ＣＰＵ１００が開閉状態を検出するための信号を、ＣＰＵ１００へ出力する。
【００５２】
加速度センサ３０８は、携帯電話機１に印加される加速度を検出する。加速度センサ３０８は３軸加速度センサであり、図１のＸ軸方向、Ｙ軸方向およびＺ軸方向の３方向に生じる加速度を検出する。加速度センサ３０８は、検出した加速度に応じた加速度信号をＣＰＵ１００へ出力する。
【００５３】
メモリ２００は、ＲＯＭおよびＲＡＭを含む。メモリ２００には、ＣＰＵ１００に制御機能を付与するための制御プログラムが記憶されている。メモリ２００には、各種アプリケーションが記憶されている。これらアプリケーションの実行によって、画像の閲覧、画像の切取りや加工などの編集、電子メール、通話、ウェブブラウザ、カメラ機能、音楽プレーヤ、メール着信や音声着信（電話の着信）の時などに所定のメッセージと画像を表示してユーザに通知する通知機能等が実現される。なお、画像の編集と通知機能の詳細については、追って詳述する。
【００５４】
ＣＰＵ１００が制御プログラムや各種アプリケーションを実行する際、メモリ２００は、ワーキングメモリとしても使用される。たとえば、画像編集の際、メモリ２００には、表示面に表示されている画像のうち、現在編集の対象となっている領域の位置、大きさ、形状等を指定するデータが記憶される。
【００５５】
ＣＰＵ１００は、キー入力回路３０３、各タッチセンサ１３、２３からの操作入力信号に基づき、制御プログラムに従って、カメラモジュール３０１、マイク１７、通信モジュール３０４、第１および第２ディスプレイ１２、２２、スピーカ１８等を動作させる。これにより、ＣＰＵ１００は、各種アプリケーションを実行する。
【００５６】
＜実施例＞
以下、画像編集時にＣＰＵ１００にて行われる処理を説明する。本実施例では、画面状態が開状態またはチルト状態であるときに、画像編集処理が行われる。
【００５７】
図５は、編集開始時の処理を示すフローチャートである。図６（ａ）は、編集開始時の画面の表示例を示す図である。図６（ｂ）は、画像の編集方法の選択画面の表示例を示す図である。
【００５８】
ステップＳ１０１において、ＣＰＵ１００は、図６（ａ）に示す如く、リスト画面５０１を第２表示面２４に表示する。リスト画面５０１は、１２枚の画像のサムネイルＴＨ０１〜ＴＨ１２を含む。ＣＰＵ１００は、サムネイルＴＨ０１〜ＴＨ１２の何れかがタップされた場合、タップされたサムネイルを強調表示するとともに、対応する画像（以下、「第１画像」という）４０１を、第１表示面１４に表示する。図６（ａ）の例では、サムネ
イルＴＨ０９が強調表示され、対応する画像が、第１画像４０１として、第１表示面１４に表示されている。この表示例では、第１画像４０１は、人物Ａおよび人物Ｂと、木や山岳等からなる背景とを含む。
【００５９】
ＣＰＵ１００は、こうしてリスト画面５０１と第１画像４０１を表示した後、編集対象の画像の選択の入力を受け付ける（Ｓ１０２）。ＣＰＵ１００は、リスト画面５０１上の何れかのサムネイルがダブルタップされた場合に、ダブルタップされたサムネイルに対応した画像が、編集対象として選択されたと判定する。たとえば、サムネイルＴＨ０９がダブルタップされた場合、ＣＰＵ１００は、第１表示面１４に表示された第１画像４０１が編集対象として選択されたと判定する。
【００６０】
なお、上記の編集対象の画像の選択のための操作は、ダブルタップの操作に限らず、他の操作であってもよい。たとえば、編集対象の画像の選択のための操作は、サムネイルのタップや、サムネイルを他方の画面上へのスライドまたはフリック等でもよい。
【００６１】
選択の入力を受けると、ＣＰＵ１００は、図６（ｂ）に示す如く、３つのボタン５０２ａ〜５０２ｃを含む、画像の編集方法の選択画面５０２を、第２表示面２４に表示する。各ボタン５０２ａ〜５０２ｃは、それぞれ、「画像の切取り」、「画像の加工」および「画像設定」の選択のためのボタンである。
【００６２】
選択画面の表示の後、ＣＰＵ１００は、編集対象の画像に対する編集方法の選択の入力を受け付け（Ｓ１０３）、ボタン５０２ａ〜５０２ｃのうち何れが選択（タップ）されたかを判定する（Ｓ１０４）。そして、ＣＰＵ１００は、選択されたボタンに応じた処理Ｓ１０５〜Ｓ１０７へ進む。
【００６３】
「画像の切取り」が選択されると、画像の切取り（トリミング）のための処理が実行される。「画像の加工」が選択されると、画像に所定の加工を適用して保存するための処理が実行される。「画面設定」が選択されると、画像を切取り、切取った画像を所定機能の実行時において表示するよう設定するための処理が実行される。以下に、これら３つの処理について、順に説明する。
【００６４】
＜画像の切取り＞
図７（ａ）は、ボタン５０２ａ（画像の切取り）が選択されたときの画像切取り処理を示すフローチャートである。図７（ｂ）は、切取り対象領域の形状を変化させるための処理を示すフローチャートである。図８（ａ）〜図１８（ｂ）は、画像切取り処理時の画面の表示例を示す図である。図８（ａ）は、図６（ａ）において、ユーザがボタン５０２ａを選択した状態を示す。
【００６５】
ボタン５０２ａが選択されると、ＣＰＵ１００は、図７（ａ）のステップＳ１１１において、図８（ｂ）のように、第２表示面２４に第１画像と同じ画像（第２画像）４０２を表示し、さらに、第１表示面１４と第２表示面２４に、それぞれ、第１枠６０１と第２枠６０２を表示する。第１画像４０１と第２画像４０２に、それぞれ、第１枠６０１と第２枠６０２によって囲まれた第１領域７０１と第２領域７０２が設定される。図８（ｂ）に示すように、第１枠６０１と第２枠６０２は、それぞれ、第１画像４０１と第２画像４０２の中央に設定され、所定サイズの長方形となっている。第１画像４０１上における第１枠６０１の位置、大きさ、形状は、第２画像４０２上における第１枠６０２の位置、大きさ、形状と同じである。
【００６６】
第２画像４０２は、切取り領域（第２領域）を調整するための編集用の画像として用いられ、第１画像４０１は、切取り領域（第２領域）が、第１画像４０１上のどの位置にあ
るかを確認するために用いられる。ユーザは、第２表示面２４への入力によって、第２枠６０２（第２領域７０２）の位置、大きさ、形状を、適宜、指定できる。
【００６７】
図８（ｂ）の第１および第２表示面１４、２４の左上において、第１および第２画像４０１、４０２の用途の通知のため、それぞれ、「全体画面」、「編集画面」なる文字が表示されている。このような通知のための表示は、切取り領域を調整するための所定操作がなされたときに解除される。
【００６８】
なお、このような通知のための表示は、切取り領域の調整タイミングの他、所定時間経過後や拡大操作が行われたとき等のタイミングで、解除されるよう構成されてもよいし、あるいは、常時表示または常時非表示とされるよう構成されてもよい。
【００６９】
また、画像の編集に係る所定操作のためのボタン等が、第１または第２画像４０１、４０２上の所定位置に表示される構成がとられてもよい。たとえば、図８（ｂ）に示す如く（第２表示面２４の右下の破線で描かれたボタン参照）、画像を切取って保存する（後述のＳ１１７参照）ためのボタンが表示される構成が採られ得る。このようなボタン等の画像は、常時表示または常時非表示とされてよい。あるいは、ボタン等の画像が、所定のタイミングで表示・非表示が切り替えられるよう構成されてもよい。
【００７０】
図７（ａ）のステップＳ１１２において、ＣＰＵ１００は、第２領域７０２を指定する入力を受け付ける。第２領域７０２の指定入力があると、ＣＰＵ１００は、当該指定入力に応じて、第２枠６０２（第２領域７０２）の位置、大きさ、形状を更新する（Ｓ１１４）。さらに、ＣＰＵ１００は、第２枠６０２（第２領域７０２）の更新に応じて、第１枠６０１（第１領域７０１）の位置、大きさ、形状を更新する（Ｓ１１５）。第１画像４０１上における更新された第１枠６０１の位置、大きさ、形状は、第２画像４０２上における更新された第２枠６０２の位置、大きさ、形状と同じである。
【００７１】
たとえば、図９（ａ）のように、ユーザの指により、第２枠６０２の右下頂点の近傍がタッチされ、このタッチの位置が白矢印方向へ移動するよう、スライドの操作がなされると、図９（ｂ）のように、第２枠６０２が更新され、これに応じて第１枠６０１が更新される。この場合、ＣＰＵ１００は、第２枠６０２の右下の頂点の位置が上記スライドの軌跡の終点位置に一致するよう、第２枠６０２を縮小し（図９（ａ）の破線枠内の領域参照）し、これに応じて、第１枠６０１を縮小する。この場合、第１枠６０１と第２枠６０２の左上頂点の位置は、当該設定の前後において変化しない。この結果、第１表示面１４と第２表示面２４には、人物Ｂを略中央に囲む第１枠６０１と第２枠６０２が表示される。
【００７２】
なお、第１枠６０１と第２枠６０２の位置および大きさは、フルサイズの画像上における座標によって管理される。本実施の形態では、第１画像４０１が、フルサイズの画像である。ＣＰＵ１００は、第１枠６０１と第２枠６０２が、フルサイズの画像上において、同じ座標位置となるように、第１枠６０１と第２枠６０２を設定する。図９（ａ）の第２枠６０２の変形は、第２枠６０２の右下の頂点の座標位置が、スライド操作により移動されることにより行われる。
【００７３】
図１０（ａ）は、第２画像４０２の拡大操作を示す図である。ＣＰＵ１００は、第２表示面２４における第２領域７０２の外部がタップされると、図１０（ｂ）のように、第２画像４０２を拡大する。このとき、第２枠６０２は、第２画像４０２の拡大に応じて拡大される。すなわち、第２枠６０２は、拡大の前後において、フルサイズの画像上の同じ領域に位置付けられる。また、拡大後の第２画像４０２は、第２枠６０２が第２表示面２４の中央にくるように表示される。
【００７４】
ＣＰＵ１００は、第２画像４０２の倍率が上限倍率に達するまで、タップされる毎に、第２画像４０２を所定の倍率ずつ拡大する。倍率が上限倍率に達すると、ＣＰＵ１００は、第２画像４０２の倍率が１００％に戻るまで、タップされる毎に、第２画像４０２を所定の倍率ずつ縮小する。第２画像４０２の倍率が１００％に戻ると、ＣＰＵ１００は、再び、タップされるに毎に第２画像４０２を拡大する。
【００７５】
なお、かかる拡大および縮小において、第１枠６０１（第１領域７０１）は変化しない。しかしながら、第２画像４０２の拡大が進むと、第２枠６０２も拡大されるため、第２枠６０２が第２表示面２４よりも大きくなることが起こり得る。この場合、第２枠６０２の大きさは、第２表示面２４に収まる最大の大きさに設定され、これに応じて、第１枠６０１の大きさも変化する。
【００７６】
また、第２画像の拡大または縮小の処理は、上記タップの操作に替えてまたは上記タップの操作に加えて、第２表示面２４に対するピンチイン（２本の指を表示面に付けたうえで、タッチ位置間の距離を縮める操作）およびピンチアウト（２本の指を表示面に付けたうえで、タッチ位置間の距離を延ばす操作）の操作や、キー２６（たとえば音量のアップおよびダウンのためのキー）の押下による操作等に基づきなされてもよい。
【００７７】
さて、図１０（ｂ）の表示状態において、第２枠６０２を変形する操作（白矢印方向へのスライドの操作）が行われると、図７（ａ）のステップＳ１１３の判定がＹＥＳとなり、図１１（ａ）に示す如く、第１枠６０１および第２枠６０２が更新される（Ｓ１１４、Ｓ１１５）。
【００７８】
図７（ａ）に戻り、上記のようにして第１枠６０１と第２枠６０２の指定および更新が行われた後、第２領域７０２内の画像を保存するための入力がなされると（Ｓ１１６：ＹＥＳ）、ＣＰＵ１００は、第２領域７０２内の画像を第２画像４０２から切り取ってメモリ２００に保存する（Ｓ１１７）。
【００７９】
図１１（ａ）に示すように、キー２６が押下されると、ＣＰＵ１００は、図１１（ｂ）に示す如く、保存の確認のためのダイアログ５０３を第１表示面１４に表示する。ダイアログ５０３は、画像を切取って保存することを選択するためのＯＫボタン５０３ａと、画像を切取って保存することをキャンセルするためのキャンセルボタン５０３ｂを含む。
【００８０】
ＯＫボタン５０３ａが選択（タップ）されると（Ｓ１１６：ＹＥＳ）、ＣＰＵ１００は、画像の保存を実行し（Ｓ１１７）、処理を終了する。キャンセルボタン５０３ｂが選択されると（Ｓ１１６：ＮＯ）、ＣＰＵ１００は、表示を図１１（ａ）の状態に戻し、第２領域７０２の指定入力を受け付ける（Ｓ１１２）。
【００８１】
なお、第２領域７０２の位置、大きさ、形状の変更は、図９（ａ）および図１０（ｂ）のような操作以外の操作によっても行われる。
【００８２】
たとえば、図１２（ａ）のように、第２領域７０２上をタッチしさらに左方向（白矢印参照）へスライドする操作がなされると、ＣＰＵ１００は、図１２（ｂ）に示す如く、スライドに伴って第１枠６０１および第２枠６０２を移動させる。
【００８３】
また、図１３（ａ）のように、第２枠６０２の下辺をタッチしさらに下方向（白矢印参照）へスライドする操作がなされると、ＣＰＵ１００は、図１３（ｂ）に示す如く、スライドの操作によるタッチ位置の移動に伴って第１枠６０１および第２枠６０２を変形させる。
【００８４】
なお、第２表示面２４に表示される、フルサイズの画像（元画像）の部分を移動させることもできる。すなわち、図１４（ａ）のように、第２領域７０２の外部をタッチしさらに左方向（白矢印参照）へスライドする操作がなされると、ＣＰＵ１００は、第２画像４０２を第２枠６０２とともに、左方向にスクロールさせる。このスクロールにより、第２枠６０２が第２表示面２４の左の境界に当ると、ＣＰＵ１００は、図１４（ｂ）に示す如く、スクロールに伴って、第２枠６０２の位置を変えずに、第２画像４０２のみを左に移動させる。これにより、第２画像４０２に対する第２枠６０２の位置が相対的に変化する。これに応じて、第１枠６０１の位置が変更される。
【００８５】
次に、図７（ｂ）を参照して、第２領域７０２の形状の選択受付処理について説明する。図７（ｂ）の処理は、図７（ａ）のステップＳ１１２の処理の開始に合わせて開始され、保存のためのキー２６が押下されると終了される。
【００８６】
第２領域７０２上がロングタップされると（Ｓ１２１：ＹＥＳ）、ＣＰＵ１００は、第２領域の形状の選択のためのダイアログを、第１画像４０１に重ねて、第１表示面１４に表示する（Ｓ１２２）。次に、ＣＰＵ１００は、領域形状の選択の入力を受け付ける（Ｓ１２３）。ユーザにより、領域形状の選択がなされると、ＣＰＵ１００は、第２枠６０２（第２領域７０２）の形状を、ユーザにより選択された形状に設定する（Ｓ１２４）。これにより、図７（ａ）のステップＳ１１３において第２領域７０２の指定入力がなされたと判定され（Ｓ１１３：ＹＥＳ）、第２表示面２４に表示される第２枠６０２の形状が、選択された形状に更新される。
【００８７】
たとえば、図１５（ａ）に示すように、第２領域７０２上がロングタップされると、図１５（ｂ）に示すダイアログ５０４が第１表示面１４に表示される。ダイアログ５０４は、形状の選択肢となる８つの枠５０４ａと、枠の形状の選択をキャンセルするためのキャンセルボタン５０４ｂを含む。ユーザは、所望の形状の枠５０４ａを選択（タップ）することにより、第１枠６０１と第２枠６０２の形状を、選択した形状に変更できる。
【００８８】
たとえば、図１６（ａ）のようにひし形の枠５０４ａが選択されると、ＣＰＵ１００は、第２枠６０２の形状がひし形になるよう、第２枠６０２の形状を設定する。そして、ＣＰＵ１００は、図７（ａ）のステップＳ１１４、Ｓ１１５の処理において、図１６（ｂ）に示す如く、第１表示面１４および第２表示面２４に表示された第１枠６０１および第２枠６０２を、ひし形に変更する。
【００８９】
具体的には、ＣＰＵ１００は、変形される前の長方形状の第２枠６０２（破線の枠参照）に外接するひし形となるように、第２枠６０２の形状を変更する。そして、ＣＰＵ１００は、変形後の第２領域７０２に対応する形状と大きさになるように第１枠６０１の形状を変更する。
【００９０】
その後、図１７（ａ）に示す如く、ひし形状の第２枠６０２がタッチされてスライドされると（白矢印参照）、ＣＰＵ１００は、第２枠６０２の大きさを変化させる。このとき、ＣＰＵ１００は、第２枠６０２の縦横比を変化させない。すなわち、ＣＰＵ１００は、図１７（ｂ）に示す如く、スライドの操作に応じて、第２領域７０２の中心を基点として、第２枠６０２の大きさを変化させる。これに応じて、第１枠６０１の大きさも変化する。第２領域７０２の形状が長方形以外の他の形状である場合も、上記スライド操作によって、大きさが変化する。
【００９１】
なお、ＣＰＵ１００は、このように、長方形状以外の形状の第２領域７０２が設定された後に保存のための操作の入力がなされると（図７のＳ１１６：ＹＥＳ）、第２領域７０２を内接する長方形領域（図１６（ｂ）および図１７（ｂ）の破線枠参照）内の画像を第
２画像４０２から切り取り、切り取った画像のうち、第２領域７０２より外側の領域に透過色を指定する。そして、ＣＰＵ１００は、こうして加工した画像を、所定のデータ形式で、メモリ２００に記憶させる。この結果、保存された画像が表示面に表示されると、長方形以外の形状の第２領域７０２上の画像が表示され、且つ、透過色が指定された部分には所定の背景画像が表示されることとなる。
【００９２】
なお、ダイアログ５０４は、長方形状およびひし形状を含め８つの形状の枠５０４ａを含む。ユーザは、これら枠５０４ａのうち所望の形状を選択できる。たとえば、ユーザは、図１８（ａ）、（ｂ）に示すような、ハート形状や星形状の第２領域７０２を設定させることができる。
【００９３】
＜画像の加工処理＞
図１９（ａ）は、図２０（ａ）に示すボタン５０２ｂ（画像の加工）が選択されたときの画像加工処理を示すフローチャートである。図１９（ｂ）は、画像の加工内容を設定するためのフローチャートである。図２０（ａ）〜図２２（ｂ）は、画像加工処理時の画面の表示例を示す図である。
【００９４】
なお、図１９（ａ）の処理フローにおいて、図７（ａ）の処理フローと同じ処理ステップには、便宜上、同じステップ番号が付されている。図１９（ａ）のステップＳ１１１〜Ｓ１１６が、図７（ａ）の処理ステップと同じである。よって、ここでは、ステップＳ１１１〜Ｓ１１６における枠の指定・変更処理については、説明を省略する。
【００９５】
図２０（ａ）のように、画像の加工のためのボタン５０２ｂがタップされると、図８（ｂ）に示す初期画面が表示される。ＣＰＵ１００は、画像の切取り処理の場合と同様、第２枠６０２の変形や移動のための入力と、第２画像の拡大、縮小およびスクロールのための入力を受け付ける。これにより、第１表示面１４と第２表示面２４の画像は、たとえば、図２０（ｂ）のようになる。
【００９６】
その後、図２０（ｂ）に示す如く、第２領域７０２の外部がロングタップされると（図７（ｂ）のＳ１４１：ＹＥＳ）、ＣＰＵ１００は、図２１（ａ）に示す如く、加工方法の選択のためのダイアログ５０５を、第１画像４０１に重ねて表示する（Ｓ１４２）。
【００９７】
ダイアログ５０５は、所定の加工方法がそれぞれ割り当てられた４つのボタン５０５ａを含む。各ボタン５０５ａは、第２領域７０２上の画像に、それぞれ、モザイク処理、セピア調画像に変換する処理、ぼかし処理およびモノクロ処理を施すためのボタンである。
【００９８】
しかる後、ＣＰＵ１００は、加工方法の選択の入力を受け付ける（Ｓ１４３）。ＣＰＵ１００は、ボタン５０５ａの何れかがタップされると、タップされたボタン５０５ａに対応する加工方法が選択されたと判定する。そして、ＣＰＵ１００は、第１領域７０１と第２領域７０２の画像に、選択された加工を施す（Ｓ１４４）。
【００９９】
たとえば、図２１（ａ）のように、「セピア」のボタン５０５ａがタップされると、ＣＰＵ１００は、第１領域７０１と第２領域７０２の画像に対し、セピア調画像に変換するための処理を行い、図２１（ｂ）に示す如く、かかる画像処理によって画像効果が適用された第１および第２画像４０１、４０２を表示する。
【０１００】
しかる後、保存のための操作がなされると（Ｓ１１６：ＹＥＳ）、ＣＰＵ１００は、第２領域７０２に対応する領域に、選択された画像処理が施された元画像（フルサイズの画像）の画像データを、メモリ２００に記憶させる（Ｓ１３１）。
【０１０１】
なお、画像の加工処理の際、ＣＰＵ１００は、画像の切取り処理の場合と同様に、図７（ｂ）の領域の形状の選択受付処理を実行する。ユーザは、第２領域７０２の形状を選択できる（図１５（ｂ）参照）。この結果、たとえば図２２（ａ）、（ｂ）に示すように、第１および第２領域７０１、７０２をハート形や星形に変形可能であり、このような領域の画像に対し、ＣＰＵ１００は、選択された画像処理を施す。図２２（ａ）、（ｂ）には、画像処理によって画像効果が適用された第１および第２画像４０１、４０２が、第１および第２表示面１４、２４にそれぞれ表示されている。
【０１０２】
なお、画像の加工処理の際、第２表示面２４には上述の如く画像効果が適用された第１画像４０１が表示され、第１表示面１４には画像効果が適用されない状態の第１画像４０１が表示されるよう、処理が実行されてもよい。
【０１０３】
＜画面設定表示＞
携帯電話機１は、所定の機能（携帯電話機１のＯＮ・ＯＦＦ、メール着信の通知、音声着信の通知、待受け画面表示）の実行時、所定の画像を表示面に表示する機能を有する。たとえば、携帯電話機１の電源ＯＮ時に、表示面に、予め登録された画像が表示される。画面設定表示の際、ＣＰＵ１００は、ユーザに指定された画像を元画像から切取り、切取った画像を、上記所定の機能の実行時に表示させる画面として設定するための処理を実行する。なお、切取った画像のデフォルトの設定先は、「待受け画面表示」である。
【０１０４】
図２３（ａ）は、図２４（ａ）に示すボタン５０２ｃ（画面設定）が選択されたときの画面設定処理を示すフローチャートである。図２３（ｂ）は、画面設定先の選択処理を示すフローチャートである。図２４（ａ）〜図２８（ｂ）は、画像設定処理時の画面の表示例を示す図である。
【０１０５】
なお、図２３（ａ）の処理フローにおいて、図７（ａ）の処理フローと同じ処理ステップには、便宜上、同じステップ番号が付されている。図２３（ａ）のステップＳ１１１〜Ｓ１１５が、図７（ａ）の処理ステップと同じである。よって、ここでは、ステップＳ１１１〜Ｓ１１５における枠の指定・変更処理については、詳説しない。
【０１０６】
上述の画像の切取り処理や画像の加工処理と異なり、図２３（ａ）の画面設定処理では、画面設定先に応じて、第２領域７０２の形状（縦横比）と大きさが固定される。ＣＰＵ１００は、ステップＳ１１３において、第２枠６０２の移動のための入力は受け付けるが、変形のための入力は受け付けない。第２領域７０２の大きさおよび縦横比は、第２枠６０２の表示によってユーザに通知される。
【０１０７】
図２４（ａ）のように画面設定が選択されると、ＣＰＵ１００は、画面の設定先を、デフォルトである待受け画面に設定し（１５１）、第２表示面２４に第２画像４０２を表示する。待受け画面の形状は、表示面（１４、２４）の形状に一致する。そのため、第２領域７０２は、図２４（ｂ）のように、第２表示面２４全体の領域に初期設定され、第２表示面２４の周囲を囲むように、第２枠６０２が表示される（Ｓ１１１）。同様に、第１表示面１４の周囲を囲むように、第１枠６０１が表示される（Ｓ１１１）。
【０１０８】
画面設定表示において、ＣＰＵ１００は、第２表示面２４に対するタップの操作に加え、キー２６（音量のアップおよびダウンのためのキー）による操作に基づき、第２画像を拡大および縮小させる。たとえば、第２表示面２４にタップが行われた後、図２４（ｂ）のように音量のアップのためのキー２６が押下されると、ＣＰＵ１００は、図２５（ａ）に示す如く、第２画像４０２を拡大させる。第２画像４０２の拡大および縮小は、拡大および縮小がなされる前の第２画像４０２が、その中心から放射状に拡大および縮小されるよう行われる。
【０１０９】
第２画像４０２の拡大および縮小に応じて、元画像に対する第２領域７０２の大きさが変わる。したがって、ＣＰＵ１００は、かかる拡大および縮小のための入力を、第２領域７０２の指定入力と受け付ける（Ｓ１１３：ＹＥＳ）。この場合、ＣＰＵ１００は、第２枠６０２を変化させず（Ｓ１１４）、第１表示面１４に表示された第１枠６０１を、第２画像４０２の拡大および縮小に応じて、相対的に縮小および拡大する（Ｓ１１５）。たとえば、図２５（ａ）のように第２画像４０２が拡大されると、これに伴い、第１枠６０１が縮小される。
【０１１０】
なお、図２５（ａ）の状態で、第２表示面２４にタッチがなされ、さらに上下左右方向へスライドされると、第２画像４０２が、上下左右にスクロールされる。かかるスクロールにより、元画像に対する第２領域７０２の位置が変わる。この場合、ＣＰＵ１００は、第１表示面１４に表示された第１枠６０１を、第２画像４０２のスクロールに応じて、相対的に移動させる（Ｓ１１５）。
【０１１１】
ステップＳ１５２、Ｓ１５３は、画面の設定を実行するためのステップである。ステップＳ１５４において、画面設定処理の終了判定がなされる。ステップＳ１５２〜Ｓ１５４の処理については、追って説明する。
【０１１２】
ユーザは、図２５（ａ）に示すように第１表示面１４をタップすることにより、画面設定の設定先を変更できる。
【０１１３】
第１表示面１４がタップされると、ＣＰＵ１００は、図２３（ｂ）のステップＳ１６１においてＹＥＳと判定し、図２５（ｂ）に示す如く、画像の設定先の選択のためのダイアログ５０６を、第１画像４０１に重ねて表示する（Ｓ１６２）。ダイアログ５０６は、４つのボタン５０６ａとキャンセルボタン５０６ｂを含む。各ボタン５０６ａは、第２画像４０２における第２領域７０２上の画像の設定先を、それぞれ、待受け画面、メール着信時の画面、音声着信時の画面および電源ＯＮ・ＯＦＦ時の画面に設定するためのボタンである。キャンセルボタン５０６ｂは、ダイアログ５０６を消去するためのボタンである。
【０１１４】
ダイアログ５０６の表示後、ＣＰＵ１００は、設定先の選択の入力を受け付け（Ｓ１６３）、ボタン５０６ａの何れかがタップされると、設定先を、タップされたボタン５０６ａに対応する画面に設定する（Ｓ１６４）。また、ＣＰＵ１００は、第２領域７０２の形状を、設定先に応じた大きさおよび縦横比になるよう設定する（Ｓ１６４）。このようにステップＳ１６４の処理が実行され終了されると、再び図２３（ｂ）の処理が開始される。
【０１１５】
こうして、設定先の画面が変更されると、ＣＰＵ１００は、図２３（ａ）の処理フローにおいて、第２領域７０２の指定入力があったと判定し（Ｓ１１３：ＹＥＳ）、ステップＳ１１４、Ｓ１１５の処理を実行する。これにより、新たな設定先に応じた大きさおよび縦横比の第１枠６０１および第２枠６０２が、それぞれ、第１および第２表示面１４に表示される。たとえば、図２５（ｂ）において、「電源オン・オフ」の選択ボタン５０６ａが選択されると、図２６（ａ）のような第１枠６０１と第２枠６０２が表示される。この場合、第２枠６０２の形状と大きさは、携帯電話機１の電源ＯＮ・ＯＦＦ時に表示される画像の輪郭に略一致する。
【０１１６】
このとき、ユーザが画面設定のための操作を行うと、ステップＳ１５２〜Ｓ１５３の処理が実行され、第２画像４０２における第２領域７０２上の画像が、携帯電話機１の電源ＯＮ・ＯＦＦ時に表示されるよう設定される。ステップＳ１５２において、ＣＰＵ１００は、画面設定のための操作（キー２６の押下）がなされたか否か判定する。たとえば、図
２６（ａ）の表示状態において、キー２６が押下されると（Ｓ１５２：ＹＥＳ）、ＣＰＵ１００は、第２領域７０２上の画像の画面設定を実行する。
【０１１７】
具体的には、ステップＳ１５２において、ＣＰＵ１００は、図２６（ｂ）に示す如く、画面設定のためのダイアログ５０７を第１画像４０１に重ねて表示する。さらに、ダイアログ５０７に含まれる「設定」と表示されたボタン５０７ａが選択されると、ＣＰＵ１００は、第２画像における第２領域７０２上の画像４０３を、現在設定されている設定先の画面（図２６（ｂ）の場合は、電源ＯＮ・ＯＦＦ時の画面）に表示されるよう設定する。この結果、携帯電話機１の起動（閉状態における起動）のための処理の実行時には、画像４０３が第１表示面１４に表示されるようになる。
【０１１８】
このように、ボタン５０７ａが選択され、画面設定が実行されると（Ｓ１５４：ＹＥＳ）、ＣＰＵ１００は、図２３（ａ）の処理を終了し、これに伴い図２３（ｂ）と図５の処理も終了する。
【０１１９】
図２５（ｂ）のダイアログ５０６において、たとえば、「メール着信」と表示されたボタン５０６ａが選択されると、上記と同様の処理にて、図２７（ａ）に示す如く、メール着信時に表示される画像の大きさと縦横比を有する第１枠６０１および第２枠６０２が表示される。その後、上記と同様にして画面設定が実行されると（Ｓ１５２：ＹＥＳ、Ｓ１５３）、第２領域７０２上の画像４０３が、メール着信時の画面の画像に設定される。これにより、メール着信時（閉状態時）には、図２７（ｂ）に示すように、画像４０３が第１表示面１４に表示されるようになる。図２７（ｂ）では、第１表示面１４に、メール着信を通知するためのダイアログ５０８が表示されている。
【０１２０】
なお、図２６（ｂ）のダイアログ５０７には、第２領域７０２の画像を、図２３（ａ）、（ｂ）のステップＳ１５１、Ｓ１６４で設定された設定先とは別の設定先の画面に設定するためのアイコン５０７ｃが含まれている。ユーザは、これらアイコン５０７ｃを利用して、第２領域７０２の画像を複数の設定先の画面に設定することができる。
【０１２１】
すなわち、図２８（ａ）のように、第２領域７０２上がタッチされ、「メール着信」のアイコン５０７ｃの方向（白矢印参照）へスライドがなされると、ＣＰＵ１００は、図２８（ｂ）に示す如く、画像４０３を新たに指定された設定先（メール着信）の画面に設定することを確認するためのダイアログ５０８を、第１画像４０１に重ねて表示する。ダイアログ５０８は、この設定を実行するためのボタン５０８ａと、この設定をキャンセルするためのボタン５０８ｂを含む。ボタン５０８ａが選択（タップ）されると、ＣＰＵ１００は、画像４０３がメール着信時に表示されるよう、画面設定を実行する。
【０１２２】
なお、このように、画像４０３の設定先が変更されると、画像４０３の形状と大きさが、変更された設定先の画面の画像表示領域の形状と大きさに合わなくなる。たとえば、図２８（ａ）において、第２領域７０２は、電源ＯＮ・ＯＦＦ時の画面に対応する大きさと形状となっており、この第２領域７０２の大きさと形状は、メール着信時の画面に表示される画像領域の大きさとサイズに整合しない。
【０１２３】
したがって、このように画像４０３の設定先が変更される場合には、画像４０３が、変更後の設定先の画像表示領域に収まるように画像４０３が縮小または拡大され、縮小または拡大された後の画像が、変更後の設定先の画面に設定される。たとえば、図２８（ｂ）の例の場合、画像４０３は、メール着信時の画像表示領域（破線の枠参照）において、最大の状態で表示されるよう、縮小される。
【０１２４】
以上、本実施の形態によれば、第２領域７０２を指定する入力が受け付けられると、指
定された第２領域７０２の境界を表す第２枠６０２が第２画像４０２に重ねて表示されるとともに、第２画像４０２の第２枠６０２に対応する位置に、第１枠６０１が第１画像に重ねて表示される。このため、ユーザは、画像全体（第１画像４０１）のうちどの部分が、編集作業の対象となっているかを、編集作業中であっても容易に認識できる。
【０１２５】
ユーザは、編集作業の対象となる位置すなわち第１領域の位置を移動させながらもその位置を全体画像において確認できると同時に、作業の対象となる第２領域７０２およびその近傍の画像の細部を、第２画像４０２によって容易に把握できる。
【０１２６】
また、第２画像４０２をスケール変換（拡大、縮小）またはスクロールさせることができるため、ユーザは、全体画像を見ながらも、作業の対象となっている部分である第２領域７０２およびその近傍の画像の細部を容易に把握できる。
【０１２７】
＜その他＞
以上、本発明に係る実施例について説明したが、本発明は、上記実施例に何ら制限されるものではない。また、本発明の実施例も、上記以外に、各種の変更が可能である。
【０１２８】
たとえば、上記実施例では、第２領域７０２が指定される前に、編集方法（選択画面５０２参照）が選択されたが、第２領域７０２が指定された後に、編集方法が選択される構成であっても良い。たとえば、第２領域７０２が指定された後、所定の操作に応じて、編集方法の選択画面５０２が表示されても良い。
【０１２９】
または、上記実施例では、第２画像４０２をスケール変換またはスクロールさせると、これに伴い、第２枠６０２も変形または移動されたが、ユーザが第２枠６０２に対する操作を最初に行う前に、第２画像４０２がスケール変換またはスクロールされたような場合には、第２枠６０２を変形または移動させずに、第２画像４０２をスケール変換またはスクロールさせても良い。
【０１３０】
また、図８（ｂ）では、図８（ａ）にてボタン５０２ａが選択されると、第１枠６０１および第２枠６０２が表示されたが、図８（ａ）にてボタン５０２ａが選択されても、第１枠６０１および第２枠６０２が表示されないようにしても良い。この場合、たとえば、ユーザにより第２表示面２４に対して第２枠６０２の領域を指定するための所定の入力（たとえば、斜め方向のスライドの操作により長方形状領域を指定する入力）がなされた場合に、第１枠６０１および第２枠６０２が表示されても良い。こうすると、ユーザは、所望の大きさおよび形状の第１枠６０１および第２枠６０２を任意に設定することができる。
【０１３１】
この場合、たとえば、図２９（ａ）、（ｂ）に示す如く、スライド（白矢印参照）の始点および終点の位置（白丸印と黒丸印参照）が、対向する頂点位置となるよう長方形（破線の枠参照）の領域が設定され、これに基づき図２９（ｂ）の第１および第２枠６０１、６０２が表示される。また、始点から始まる軌跡の終点が始点へと戻るようになされたスライド操作に基づき、第２領域が設定される構成が採られてよい。この場合、たとえば、スライドの軌跡で囲まれた領域が第２領域として設定され、第２枠がスライドの軌跡と一致するよう表示され得る。
【０１３２】
なお、上記実施例では、画像の編集方法（図８（ａ）参照）、枠の形状（図１５（ｂ）参照）、画像処理の種類（図２１（ａ）参照）および画面設定の設定先（図２６（ｂ））は、所定の選択肢から選択される構成が採られたが、実施例に示された選択肢は、あくまでも一例である。また、画面の切取り処理において、切取った画像の保存先や設定先は、メモリ２００にかぎらず、携帯電話機１に装着された外部メモリに保存されても良く、あ
るいは、電子メールによる送信等から選択できるよう構成されてよい。
【０１３３】
また、第１領域７０１と第２領域７０２の調整は、図３０（ａ）のように、所定操作に基づき、第１領域７０１および第２領域７０２を回転させるようになされてもよい。あるいは、図３０（ｂ）のように、第２画像４０２を回転させるような処理が実行されてもよい。
【０１３４】
上記実施例では、第１領域７０１および第２領域７０２の境界線を示す第１枠６０１および第２枠６０２によって、第１領域７０１および第２領域７０２が特定された。第１枠６０１および第２枠６０２は、図３１（ａ）のように破線で表示されても良い。また、第１枠６０１および第２枠６０２の線の太さは、図３１（ｂ）のように、細くても良く、線の種類も各種の形式（点線、破線、一点鎖線、波線、二重線、太線、細線、色付き線等）に変更され得る。
【０１３５】
第１枠６０１および第２枠６０２は、第１領域７０１および第２領域７０２の特定以外の効果を実現するための要素を含み得る。たとえば、図３２（ａ）、（ｂ）のように、第１枠６０１および第２枠６０２には、領域の中心位置（図３２（ａ））や中心領域（図３２（ｂ））を示すための要素が付加され得る。
【０１３６】
また、第１枠６０１および第２枠６０２が、時間に応じて変化しても良い。たとえば、時間経過に伴って、第１枠６０１および第２枠６０２が点滅しても良く、または、枠の模様や、色、明度、彩度等の色調が変化しても良い。
【０１３７】
あるいは、図３２（ｃ）のように、第１領域７０１および第２領域７０２の境界線上を所定速度で点が移動（白矢印参照）することにより、第１領域７０１および第２領域７０２が特定されても良い。また、図３２（ｃ）において、軌跡の視認性が向上するよう、移動する点の軌跡を表す画像が、所定時間の間、残像（色調が弱められた軌跡線）として表示されてもよい。
【０１３８】
また、第１領域７０１および第２領域７０２は、枠によって囲まれている必要はなく、たとえば図３２（ｄ）のように、第１領域７０１および第２領域７０２の境界（破線の枠参照）の一部が線（破線の枠の右上および左下部の太線）によって示されてもよい。この場合、ユーザは、表示された一部の線を延長して形成される領域が第１領域７０１および第２領域７０２であると認識できる。
【０１３９】
なお、図３２（ｄ）〜（ｆ）において、破線の枠は、領域の境界の説明のために、便宜上図示されたものであり、表示面には表示されない。
【０１４０】
また、たとえば図３２（ｅ）の如く、第１領域７０１および第２領域７０２の頂点の位置を表示することにより、第１領域７０１および第２領域７０２が特定されても良い。この場合、ユーザは、各頂点を環状に結ぶ線により囲まれる領域が、第１および第２領域７０１、７０２であると認識できる。
【０１４１】
また、第１領域７０１および第２領域７０２は、たとえば図３２（ｆ）のように、イラスト風の絵図等の画像により特定されても良い。一例として、図３２（ｆ）は、図３２（ｄ）の鈎状の線分の画像が、イラスト（手のイラスト）風の画像に置き換えられたものである。
【０１４２】
また、枠や線分等を追加することなく、第１領域７０１および第２領域７０２が特定されてもよい。たとえば、図３３（ａ）のように、第１領域７０１および第２領域７０２の
内部と外部において互いに異なる色調効果やぼかし効果等の画像効果を施すことにより、第１領域７０１および第２領域７０２が特定（表示）されてもよい。たとえば、図３３（ａ）では、第１領域７０１および第２領域７０２の外部の画像の彩度が通常より落とされて表示される。ユーザは、画像効果が変化する境界を視認でき、これにより、第１領域７０１および第２領域７０２を識別できる。
【０１４３】
また、図３３（ｂ）のように、図３３（ａ）の画像効果に、さらに、第１枠６０１および第２枠６０２の表示が組み合わされてもよい。上述した領域の特定形態は、このように、２つ以上が互いに組み合わせられても良い。さらに、第１領域７０１と第２領域７０２とは、互いに異なる方法により特定されてもよい。
【０１４４】
上記実施例では、第１領域７０１は、第２領域の移動に伴って、移動したが（図１２（ａ）、（ｂ）参照）、さらに、第１領域７０１を直接移動できるような構成が採られてもよい。たとえば、図３４（ａ）のように、第１領域７０１上をタッチしさらに右上方向（白矢印参照）へスライドする操作がなされると、ＣＰＵ１００は、図３４（ｂ）に示す如く、スライドに伴って第１領域７０１を移動させる。
【０１４５】
この場合、ＣＰＵ１００は、第２画像４０２を図３４（ｂ）のように変更する。すなわち、ＣＰＵ１００は、移動する第１領域７０１が、第２画像４０２において中心に来るように、第１領域７０１の移動に伴って、第２画像４０２をスクロールさせる。この結果、図３４（ｂ）に示す如く、第１枠６０１が、移動された後の第１領域７０１の境界を示すよう表示され、第２枠６０２が、第１枠６０１に対応する位置に表示される。
【０１４６】
なお、第２画像４０２のスクロールの際、第２枠６０２の位置は変化しない。また、図３４（ｂ）の例のように、第１領域７０１が第１画像４０１の端近くに移動されると、第２表示面２４における第２画像６０２の外部に、所定の背景画像４０４が表示される。
【０１４７】
このように、第１領域を直接移動させることが可能であると、ユーザは、第１領域を、１回のスライドの操作で、所望の位置へ、移動でき、便利である。
【０１４８】
また、上記実施例では、編集用の第２画像４０２は、第２表示面２４のみに表示されたが、ユーザからの操作に応じて、第２画像４０２が第１および第２表示面１４、２４の両方に拡大表示されるよう構成されてもよい。たとえば、表示面（１４、２４）に表示されたボタン等に対する操作に応じて、第２画像４０２が第１および第２表示面１４、２４の両方に拡大表示される。さらに、表示面（１４、２４）に表示されたボタン等に対する操作に応じて、表示面（１４、２４）における表示が、拡大表示の前に状態に戻される。こうすると、編集用の画像が２画面表示されるため、ユーザは、より広い作業領域にて画像を編集できる。
【０１４９】
また、第１および第２画像４０１、４０２が、互いに入れ替え可能であるよう、構成されてもよい。すなわち、第１画像および第２画像４０１、４０２が、それぞれ、第１および第２表示面１４、２４に表示されている状態において、たとえば表示面（１４、２４）に表示されたボタン等に対する操作に基づき、第２画像４０２が第１表示面１４に表示され、第１画像４０１が第２表示面２４に表示されるよう構成され得る。この表示の切り替えに伴い、第２枠６０２が第１画像４０１の対応する位置に重ねて表示され、第１枠６０１が第２画像４０２の対応する位置に重ねて表示される。第１表示面に対する入力により、第２領域の指定や、画像の切取りや加工等のための処理が実行される。ユーザは、所望の表示面（１４、２４）に編集用の画面（第２表示面）を表示させ、画像の編集のための操作を行える。なお、たとえば、２画面が同時にタッチされたことに基づき、画面を入れ替えるためのボタンが表示されるよう構成がとられてもよい。
【０１５０】
さらに、上記実施形態では、携帯電話機１に本発明を適用した例を示したが、ＰＤＡやタブレットＰＣ、電子書籍端末、携帯ゲーム機などの他の携帯端末装置に本発明を適用することもできる。
【０１５１】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１５２】
１  携帯電話機  （携帯端末装置）
１１  第１タッチパネル  （第１表示部）
１３  第１タッチセンサ  （他の入力受付部）
１４  第１表示面
２１  第２タッチパネル  （第２表示部）
２３  第２タッチセンサ  （入力受付部）
２４  第２表示面
１００  ＣＰＵ  （制御部）
４０１  第１画像
４０２  第２画像
６０１  第１枠
６０２  第２枠
７０１  第１領域
７０２  第２領域  （第２領域、領域）
【図１】
0005885152.tif 000002
【図２】
0005885152.tif 000003
【図３】
0005885152.tif 000004
【図４】
0005885152.tif 000005
【図５】
0005885152.tif 000006
【図６】
0005885152.tif 000007
【図７】
0005885152.tif 000008
【図８】
0005885152.tif 000009
【図９】
0005885152.tif 000010
【図１０】
0005885152.tif 000011
【図１１】
0005885152.tif 000012
【図１２】
0005885152.tif 000013
【図１３】
0005885152.tif 000014
【図１４】
0005885152.tif 000015
【図１５】
0005885152.tif 000016
【図１６】
0005885152.tif 000017
【図１７】
0005885152.tif 000018
【図１８】
0005885152.tif 000019
【図１９】
0005885152.tif 000020
【図２０】
0005885152.tif 000021
【図２１】
0005885152.tif 000022
【図２２】
0005885152.tif 000023
【図２３】
0005885152.tif 000024
【図２４】
0005885152.tif 000025
【図２５】
0005885152.tif 000026
【図２６】
0005885152.tif 000027
【図２７】
0005885152.tif 000028
【図２８】
0005885152.tif 000029
【図２９】
0005885152.tif 000030
【図３０】
0005885152.tif 000031
【図３１】
0005885152.tif 000032
【図３２】
0005885152.tif 000033
【図３３】
0005885152.tif 000034
【図３４】
0005885152.tif 000035